(57)【要約】【課題】光検出素子の複数軸調整が可能でありながらも、光ピックアップの信頼性をより損なわない構成によって、光検出素子位置をより安定に保持することができる光ピックアップ装置が望まれている。【解決手段】本発明の光ピックアップは、光学基台と、前記光学基台上に形成された光ビームを放射する光源と、前記光ディスクで反射した反射光ビームを受光する光検出素子と、前記光検出素子に接続され、少なくとも一方が前記光検出素子から出力される電気信号を伝送する第１及び第２のフレキシブルプリント基板と、を有し、前記第１及び第２のフレキシブルプリント基板はそれぞれ少なくとも１箇所の屈曲部を有し、前記第１のフレキシブルプリント基板は前記光学基台の一側面方向に延伸され、前記第２のフレキシブルプリント基板は前記側面と対向する前記光学基台の別の一側面に延伸されることを特徴とする。【選択図】図２
2010250882.tif 000002
【特許請求の範囲】
【請求項１】
光学基台と、
前記光学基台上に形成された光ビームを放射する光源と、
前記光源から放射された前記光ビームを光ディスクに導く集光レンズと、
前記光ディスクで反射した反射光ビームを受光する光検出素子と、
前記光検出素子に接続され、少なくとも一方が前記光検出素子から出力される電気信号を伝送する第１及び第２のフレキシブルプリント基板と、を有し、
前記第１及び第２のフレキシブルプリント基板はそれぞれ少なくとも１箇所の屈曲部を有し、
前記第１のフレキシブルプリント基板は前記光学基台の一側面方向に延伸され、前記第２のフレキシブルプリント基板は前記側面と対向する前記光学基台の別の一側面に延伸されることを特徴とする、光ピックアップ。
【請求項２】
請求項１記載の光ピックアップであって、前記第１および前記第２のフレキシブルプリント基板は、互いに繋がっており、実質１つのフレキシブルプリント基板であることを特徴とする、光ピックアップ。
【請求項３】
請求項１又は２のいずれか一項に記載の光ピックアップであって、前記第２のフレキシブルプリント基板は電気配線を有さない、実質ダミーの基板であることを特徴とする光ピックアップ。
【請求項４】
請求項１〜３のいずれか一項に記載の光ピックアップであって、前記第２のフレキシブルプリント基板は、接地端子に接続されるための配線のみを有することを特徴とする、光ピックアップ。
【請求項５】
請求項３又は請求項４のいずれか一項に記載の光ピックアップであって、前記第２のフレキシブル基板における屈曲部の幅が、前記１のフレキシブル基板における屈曲部の幅よりも大きいことを特徴とする、光ピックアップ。
【請求項６】
請求項１〜５のいずれか一項に記載の光ピックアップであって、前記第１のフレキシブルプリント基板において、前記屈曲部が形成された領域の横幅が、前記屈曲部が形成されていない領域の横幅よりも小さいことを特徴とする、光ピックアップ。
【請求項７】
請求項１〜６のいずれか一項に記載の光ピックアップであって、
前記第１のフレキシブル配線基板は、第１部材と、前記第１部材の一側面から突出し、互いに所定の空間を空けて配置された第２部材及び第３部材を有し、
前記第２部材と前記第３部材は、前記第２部材及び第３部材は前記光検出素子に接続されると共に、屈折部が形成されていることを特徴とする、光ピックアップ。
【請求項８】
請求項１〜７のいずれか一項に記載の光ピックアップであって、
前記第１のフレキシブルプリント基板は、前記光検出素子の共通端子と接続される配線と、前記配線上に形成されたカバー層と、を有し
前記配線の一部に、前記カバー層の一部が除去された露出配線部が形成されており、
前記露出配線部と前記光学基台とが接触することで、金属的に接続されることを特徴とする、光ピックアップ。
【請求項９】
請求項１〜７のいずれか一項に記載の光ピックアップであって、前記第１のフレキシブルプリント基板は、光検出素子の共通端子と接続される配線と、前記配線上に形成されたカバー層と、を有し、
前記配線の一部に、前記カバー層の一部が除去された露出配線部が形成されていると共に、前記光学基台の前記露出配線部に対応する位置に孔が形成されており、前記孔に挿入される金属製ネジによって、前記第１のフレキシブルプリント基板と前記光学基台が固定されると共に、前記露出配線部と前記光学基台とが金属的に接続されることを特徴とする、光ピックアップ。
【請求項１０】
請求項１〜７のいずれか一項に記載の光ピックアップであって、前記第１のフレキシブルプリント基板は、光検出素子の共通端子と接続される配線と、前記配線上に形成されたカバー層と、を有し、
前記配線の一部に、前記カバー層の一部が除去された露出配線部が形成されており、前記配線露出部と前記光学基台とが半田によって金属的に接続されるとともに、前記第１のフレキシブルプリント基板と前記光学基台とが固定されることを特徴とする、光ピックアップ。
【請求項１１】
請求項１〜７のいずれか一項に記載の光ピックアップであって、更に少なくとも前記光学基台の一側面に金属製のカバーを有し、前記第１のフレキシブルプリント基板は、光検出素子の共通端子と接続される配線と、前記配線上に形成されたカバー層と、を有し、前記配線の一部に、前記カバー層の一部が除去された露出配線部が形成されており、前記配線露出部と前記カバーとが半田によって電気的に接続されるとともに、前記第１のフレキシブルプリント基板と前記カバーとが固定されることを特徴とする、光ピックアップ。
【請求項１２】
請求項１記載の光ピックアップであって、前記第１のフレキシブルプリント基板と前記第２のフレキシブルプリント基板は、それぞれ前記光検出素子から略等しく離れた位置で光学基台に固定されることを特徴とする、光ピックアップ。
【請求項１３】
請求項１乃至９いずれか記載の光ピックアップと、光情報媒体を回転するモータと、前記光ピックアップ装置から得られる信号を受け、前記信号に基づいて前記モータや光学レンズやレーザ光源を制御および駆動する電気回路を具備する光情報装置。
【請求項１４】
請求項１０記載の光情報装置と、情報を入力するための入力装置あるいは入力端子と、前記入力装置から入力された情報や前記光情報装置から再生された情報に基づいて演算を行う演算装置と、前記入力装置から入力された情報や前記光情報装置から再生された情報や、前記演算装置によって演算された結果を表示あるいは出力するための出力装置あるいは出力端子を備えたコンピュータ。
【請求項１５】
請求項１０記載の光情報装置と、前記光情報装置から得られる情報信号を画像に変換する情報から画像へのデコーダーを有する光情報媒体プレーヤ。
【請求項１６】
請求項１０記載の光情報装置と、前記光情報装置から得られる情報信号を画像に変換する情報から画像へのデコーダーを有するカーナビゲーションシステム。
【請求項１７】
請求項１０記載の光情報装置と、画像情報を前記光情報装置によって記録する情報に変換する画像から情報へのエンコーダーを有する光情報媒体レコーダ。
【請求項１８】
請求項１０記載の光情報装置と、外部との情報のやりとりを行う入出力端子を備えた光ディスクサーバ。
【発明の詳細な説明】
【技術分野】
【０００１】
本発明は、フレキシブルプリント基板と光検出素子の取り付け構造に関するものである。
【背景技術】
【０００２】
まず、従来の光ピックアップ装置の一例について述べる。光源から出射した光は、対物レンズによって光ディスク上に集光され、その反射光はビームスプリッタ等を介して光検出素子の受光部に入射する。受光部に入射した光からは、再生信号が検出されると共に、例えば４分割受光部に入射した光からは、対物レンズの位置調整に用いられるフォーカス誤差信号や、プシュプル信号のようなトラッキング誤差信号が検出されている。
【０００３】
この種の光ピックアップ装置において、光検出素子は位置の微小な調整が必要であり、その固定後も光検出素子位置が安定に保持されている必要がある。しかしながら、光検出素子を固定する樹脂が劣化したり、光検出素子に接続されているフレキシブルプリント基板の一部が屈曲した状態となっていることから、屈曲部が元に戻ろうとする応力が働いたりすることから、光検出素子が位置ずれを起こしやすい。そこで、光検出素子の安定な固定方法の一例として、光検出素子をコの字型のブラケットに接着することにより、フレキシブルプリント基板の屈曲による負荷を低減する方法がある（例えば特許文献１参照。）。図１５に、特許文献１の光ピックアップの構成を示す。光検出素子は光学ベースに取り付けられており、光学ベース上に取り付けられた光検出素子は、フレキシブルプリント基板に電気的に接続されている。フレキシブルプリント基板は、光学基台に沿った部分と、光検出素子に接続されている部分との間の地点で、折り曲げられた状態となっている。
【０００４】
ここで、光検出素子またはそれを支持するホルダはコの字形のブラケット５０に押し当てられた構成となっている。このような構成とすることで、フレキシブルプリント基板の屈曲部の、例えば屈曲が元に戻ろうとする応力等による、光検出素子への負荷を低減することが出来、高い保存安定性が保てるとしている。
【先行技術文献】
【特許文献】
【０００５】
【特許文献１】特開２００５−３３９７０９号公報
【発明の概要】
【発明が解決しようとする課題】
【０００６】
しかしながら、従来の光ピックアップの構成の場合、ブラケットに光検出素子を押し当てる構造であるため、光検出素子の調整方向に制限を加えてしまうという課題がある。光ピックアップは例えばコンパクトディスク（ＣＤ）やデジタルヴァーサタイルディスク（ＤＶＤ）に加えてブルーレイディスク（ＢＤ）等の高密度ディスクといった、複数ディスクに対応した構成が望まれている。複数ディスクに対応した光ピックアップにおいては、光検出素子の受光部構成が複雑になり、その光検出素子の調整は高い精度で複数軸の調整が必要になることが一般的である。従って、従来例のように光検出素子の調整方向に制限を加えてしまうと、光検出素子の調整が困難になってしまうか、もしくは調整できなくなってしまうという課題があった。
【０００７】
一方で、フレキシブルプリント基板の応力を低減するために、フレキシブルプリント基板をあらかじめ反対側に折り曲げることで応力を低減しようとすると、工数が増えてしまう。また同時に、フレキシブルプリント基板に損傷や劣化を引き起こし易くさせてしまう。
【０００８】
そこで、光検出素子の複数軸調整が可能であり、また光ピックアップの信頼性をより損なわない構成によって、光検出素子位置をより安定に保持することができる光ピックアップ装置が望まれていた。
【課題を解決するための手段】
【０００９】
本願発明は、光学基台と、前記光学基台上に形成された光ビームを放射する光源と、前記光源から放射された前記光ビームを光ディスクに導く集光レンズと、前記光ディスクで反射した反射光ビームを受光する光検出素子と、前記光検出素子に接続され、少なくとも一方が前記光検出素子から出力される電気信号を伝送する第１及び第２のフレキシブルプリント基板と、を有し、前記第１及び第２のフレキシブルプリント基板はそれぞれ少なくとも１箇所の屈曲部を有し、前記第１のフレキシブルプリント基板は前記光学基台の一側面方向に延伸され、前記第２のフレキシブルプリント基板は前記側面と対向する前記光学基台の別の一側面に延伸されることを特徴とする。
【００１０】
また前記光ピックアップにおいて、前記第１および前記第２のフレキシブルプリント基板は、互いに繋がっており、実質１つのフレキシブルプリント基板であってもよい。
【００１１】
また前記光ピックアップにおいて、前記第２のフレキシブルプリント基板は電気配線を有さない、実質ダミーの基板であってもよい。
【００１２】
また前記光ピックアップにおいて、前記第２のフレキシブルプリント基板は、接地端子に接続されるための配線のみを有する構成であってもよい。
【００１３】
また前記光ピックアップにおいて、前記第２のフレキシブル基板における屈曲部の幅が、前記１のフレキシブル基板における屈曲部の幅よりも大きい構成であってもよい。
【００１４】
また前記光ピックアップにおいて、前記第１のフレキシブルプリント基板において、前記屈曲部が形成された領域の横幅が、前記屈曲部が形成されていない領域の横幅よりも小さい構成であってもよい。
【００１５】
また、前記光ピックアップにおいて、前記第１のフレキシブル配線基板は、第１部材と、前記第１部材の一側面から突出し、互いに所定の空間を空けて配置された第２部材及び第３部材を有し、前記第２部材と前記第３部材は、前記第２部材及び第３部材は前記光検出素子に接続されると共に、屈折部が形成されている構成であってもよい。
【００１６】
また、前記光ピックアップにおいて、前記第１のフレキシブルプリント基板は、前記光検出素子の共通端子と接続される配線と、前記配線上に形成されたカバー層と、を有し、前記配線の一部に、前記カバー層の一部が除去された露出配線部が形成されており、前記露出配線部と前記光学基台とが接触することで、金属的に接続される構成であってもよい。
【００１７】
また、前記光ピックアップにおいて、前記第１のフレキシブルプリント基板は、光検出素子の共通端子と接続される配線と、前記配線上に形成されたカバー層と、を有し、前記配線の一部に、前記カバー層の一部が除去された露出配線部が形成されていると共に、前記光学基台の前記露出配線部に対応する位置に孔が形成されており、前記孔に挿入される金属製ネジによって、前記第１のフレキシブルプリント基板と前記光学基台が固定されると共に、前記露出配線部と前記光学基台とが金属的に接続される構成であってもよい。
【００１８】
また、前記光ピックアップにおいて、前記第１のフレキシブルプリント基板は、光検出素子の共通端子と接続される配線と、前記配線上に形成されたカバー層と、を有し、前記配線の一部に、前記カバー層の一部が除去された露出配線部が形成されており、前記配線露出部と前記光学基台とが半田によって金属的に接続されるとともに、前記第１のフレキシブルプリント基板と前記光学基台とが固定されるものであってもよい。
【００１９】
また、前記光ピックアップにおいて、更に少なくとも前記光学基台の一側面に金属製のカバーを有し、前記第１のフレキシブルプリント基板は、光検出素子の共通端子と接続される配線と、前記配線上に形成されたカバー層と、を有し、前記配線の一部に、前記カバー層の一部が除去された露出配線部が形成されており、前記配線露出部と前記カバーとが半田によって電気的に接続されるとともに、前記第１のフレキシブルプリント基板と前記カバーとが固定されることを特徴とする。
【００２０】
また、前記光ピックアップにおいて、前記第１のフレキシブルプリント基板と前記第２のフレキシブルプリント基板は、それぞれ前記光検出素子から略等しく離れた位置で光学基台に固定される構成であってもよい。
【発明の効果】
【００２１】
本発明にかかる光ピックアップにより、光検出素子の複数軸調整が可能で、かつフレキシブルプリント基板の信頼性をより損なわない構成によって、フレキシブルプリント基板の応力の影響を低減可能な光ピックアップを提供することができる。
【図面の簡単な説明】
【００２２】
【図１】本発明の実施例１における光ピックアップの光学構成を示す線図的説明図
【図２】本発明の実施例１における光ピックアップの光検出素子周辺構成を示す線図的説明図
【図３】本発明の実施例１における光ピックアップの光検出素子周辺構成を示す線図的説明図
【図４】本発明の実施例１における光ピックアップの光検出素子周辺構成を示す線図的説明図
【図５】本発明の実施例１における光ピックアップの光検出素子周辺構成を示す線図的説明図
【図６】本発明の実施例１におけるフレキシブルプリント基板の一部を示す線図的説明図
【図７】本発明の実施例１における光ピックアップの光検出素子周辺構成を示す線図的説明図
【図８】本発明の実施例１におけるフレキシブルプリント基板の一部を示す線図的説明図
【図９】本発明の実施の形態の光情報装置の概略断面図
【図１０】本発明の実施の形態のコンピュータの構成を示す概略斜視図
【図１１】本発明の実施の形態の光ディスクレコーダーの構成を示す概略斜視図
【図１２】本発明の実施の形態の光ディスクプレーヤーの構成を示す概略斜視図
【図１３】本発明の実施の形態の光ディスクサーバの構成を示す概略斜視図
【図１４】本発明の実施の形態のカーナビゲーションシステムの構成を示す概略斜視図
【図１５】従来の光ピックアップの構成例を示す線図的説明図
【発明を実施するための形態】
【００２３】
以下に、本発明に係る光ピックアップの光検出素子及びその周辺部の構造について、一実施例を図１〜図14を参照して説明する。
【００２４】
（実施の形態１）
図１に、光ピックアップの概要図を示す。
【００２５】
光源１０から出射した光ビームは、ビームスプリッタ１１を通りコリメートレンズ１２により略平行光に変換され、立ち上げミラー１３により光軸を折り曲げられ、集光レンズ１４により光ディスク１５上の情報記録面に集光する。光ディスク１５上で反射した光は逆の経路をたどり、コリメートレンズ１２により集光され、ビームスプリッタ１１により反射され、検出レンズ１６によりレンズ作用を受け、光検出素子１に集光する。この光検出素子１で光情報を電気信号に変換することにより、情報を電気信号として読み取ることが出来る。検出レンズ１６は例えばシリンドリカルレンズであり、光ピックアップのフォーカス誤差信号検出に非点収差法を用いる場合などに、光ディスク１５で反射した光に非点収差を与える用途で用いられる。
【００２６】
図１の光ピックアップにおいては、光ディスク１５は、ＣＤ、ＤＶＤ、ＢＤや、その他ディスクのいずれかに限定されるものではない。また、光ピックアップの光学系は、１つの対物レンズで、複数種類の光ディスクの記録／再生が可能な3波長に対応した光学系や、さらには２つの対物レンズで、複数種類の光ディスクの記録／再生が可能な光学系であってもよい。
【００２７】
次に、図２に、本実施の形態における光検出素子１近傍の構成を示す。図２（ａ）は斜視図であり、図２（ｂ）は側面図である。
【００２８】
光検出素子１にはフレキシブルプリント基板２が接続されており、光検出素子１はホルダ３に固定されている。ホルダ３は接着剤もしくはネジなどの取り付け部材により光学基台４に取り付けられている。本実施の形態の例では、接着剤６によって固定されている。光検出素子１は好ましくは、例えば電流電圧変換回路などを備えた光電変換ＩＣ（ＯＥＩＣ）のような集積素子であると、信号品質を向上しやすい等の効果がある。
【００２９】
ここでフレキシブルプリント基板２は一端が光検出素子１に電気的に接続され、他端は光学基台の一部に固定されている。フレキシブルプリント基板の固定は、フレキシブルプリント基板が光学基台におおよそ接して固定されるように、カバーによって押し当てる方法、ネジ締め、または樹脂接着剤による方法などを採用することができる。フレキシブルプリント基板２は必ずしも光学基台へ固定する必要はないが、例えば回転する光ディスクへ接触する等といった、想定しない方向へフレキシブルプリント基板２がはみ出ないように、カバー等で固定しておくことが好ましい。
【００３０】
ここで、フレキシブルプリント基板２は、光検出素子１とフレキシブルプリント基板２が接続されている部位と対向する端部からも延伸する構造となっており、延伸したフレキシブルプリント基板は光学基台の一面に取り付けられている。この構成により、フレキシブルプリント基板２の屈曲部Aが元に戻ろうとする応力が、屈曲部Bによって発生する応力Bと打ち消しあい、その結果、ホルダ３と光学基台４の間の接着剤、もしくは光検出素子１にかかる力を低減することができる。
【００３１】
具体的には、フレキシブル基板が光検出素子の一方方向に接続されている場合（すなわち、屈曲部Ａが存在し、屈曲部Ｂが存在しない場合）は、屈曲部Ａが元に戻ろうとする応力、例えば応力Ａ1、応力Ａ2が図示する方向に働く。この応力Ａ1、Ａ2が働くことにより、保存安定性の観点で光検出素子を有するホルダと光学基台間の接着部、もしくは光検出素子自体に負荷がかかり、結果的に光検出素子の位置ずれを引き起こしてしまう。対して、図２の構成を採用することで、屈曲部Ａで発生する応力の少なくとも一部が、屈曲部Ｂで発生する応力の少なくも一部とで打ち消し合う。
【００３２】
よって、長期保存する場合などに発生する光検出素子１の位置ずれを低減することが可能になる。なお、長期保存を行わない光ピックアップにおいても、フレキシブルプリント基板２によって発生する応力を低減し、光検出素子１の位置ずれを低減可能であることは言うまでもない。
【００３３】
また、フレキシブルプリント基板２のうち屈曲部Ｂを有する延伸部においても、前述のようにフレキシブル基板は必ずしも光学基台へ固定する必要はないが、カバー等で軽く固定しておくことが好ましい。
【００３４】
ここで、フレキシブルプリント基板２のうち、光検出素子１を超えて延伸された部分を仮にフレキシブルプリント基板２´と呼ぶ。フレキシブルプリント基板２´は、フレキシブルプリント基板２とは異なり、電気的配線を有さないダミー部材であってもよい。この構成により、フレキシブルプリント基板２のみを有する従来の光ピックアップからの変更点が少なく、簡便に屈曲部Ａの応力の影響を低減できる。また同時に、フレキシブルプリント基板２、２´の両方に電気配線を行う場合と比較して、より低価格な光ピックアップを提供できるというメリットがある。
【００３５】
次に、フレキシブルプリント基板２´の形状について述べる。フレキシブルプリント基板２´の幅に関わらず、屈曲部Aによって発生する応力の影響を減少させることが可能であるが、屈曲部Ａの応力をより低減するためには、屈曲部Ａと屈曲部Ｂで発生する応力ができるだけ同等であることが好ましい。そこで、フレキシブルプリント基板２´における屈曲部Bの横幅は、屈曲部Ａと略等しいことが好ましい。
【００３６】
また、フレキシブルプリント基板２´が電気配線を有さないダミー部材であることにより、屈曲部Ｂの応力と屈曲部Ａの応力との差が大きくなる場合は、屈曲部Bの幅を、屈曲部Ａの幅よりも大きくしてもよい。これにより、屈曲部Aによって発生する応力の影響を、よりより一層低減することが可能になる場合がある。
【００３７】
また、フレキシブルプリント基板２とフレキシブルプリント基板２´は、別部材であってもよく、この場合においても、屈曲部Aによって発生する応力の影響を低減できることは言うまでもない。
【００３８】
また、フレキシブルプリント基板２の形状を、図３のようにしてもよい。図３に、フレキシブルプリント基板２及び２´の形状の一例を示す。フレキシブルプリント基板２は、屈曲部Ａが存在する領域ｂと、屈曲部Ａが存在しない領域ａを有する。ここで、領域ｂの幅は、領域aの幅よりも小さい構成であってもよい。この構成により、フレキシブルプリント基板２及び２´に必要な基板面積が小さくなり、より低コストで光ピックアップを構成できる。また、屈曲部Ａの幅を小さくすることにより反発力自体を低減することが出来る。この場合でも、屈曲部Ｂを含むフレキシブルプリント基板２´の幅を、屈曲部Ａを含むフレキシブルプリント基板２の幅と略等しくすることにより、前述と同様に屈曲部Aによって発生する応力の影響を低減できる。
【００３９】
また、図４のように屈曲部Ａが複数存在する構成であっても、屈曲部Ａに対応する屈曲部Ｂを備えることにより、前述と同様に屈曲部Aによって発生する応力の影響を低減できる。ここで、図４に示すフレキシブルプリント基板２は、フレキシブルプリント基板２は、内部にフレキシブルプリント基板２が形成されていない領域２１が形成されている。即ち、フレキシブル基板から、延伸部３０、３１が突出しており、延伸部３０、３１上に屈曲部が存在する。また、延伸部３０、３１は光検出素子１に接続されている。このような構成を採用することで、フレキシブルプリント基板の強度を確保しながらも、屈曲部の応力を低減することが可能となる。また、この構成の場合には屈曲部を含む延伸部の幅を狭くできるため、応力そのものを低減することができる。そのため、光検出素子の調整がしやすいという効果がある。フレキシブルプリント基板の面積が小さいことから、低コスト化が望めることは言うまでもない。
【００４０】
なお、前述の例では、フレキシブルプリント基板２の屈曲部Ａ、フレキシブルプリント基板２´の屈曲部Ｂはそれぞれ一箇所ずつ形成されているが、１つのフレキシブルプリント基板に複数の屈曲部が形成されていても良い。その場合においては、それぞれのフレキシブル基板で同等の屈曲部が形成されており、かつ屈曲部の屈曲方向が同じであることが好ましい。ただし、光検出素子１からの距離が遠く、光検出素子１の位置ずれに影響が少ない屈曲部が形成されている場合は、各フレキシブルプリント基板の屈曲部の数、及び屈曲方向が異なっていてもよい。
【００４１】
次に、光検出素子１で発生した熱量を放熱する放熱機構について述べる。一般に、光検出素子１に接続される配線のうち少なくとも１以上の端子が、電気信号レベルの共通化のための共通端子とされている。その共通端子を好ましくは接地端子として使用することで、例えば金属製の光学基台に電気的に接続することにより雑音を低減する。また、この共通端子を介して光検出素子１が動作時に発する熱を光学基台に放熱する手段も有効である。この構成は、光検出素子１が特に集積素子である場合により有効となる。
【００４２】
また、光学基台が金属製でない場合は、光学基台を覆う金属製のカバーに接続する構成でも同様の効果が期待できる。この他の構成として、フレキシブルプリント基板２を利用して共通端子を光学基台に電気的に接続する構成であってもよい。以下、この構成について具体的に述べる。
【００４３】
図５に、フレキシブルプリント基板２及び２´の詳細図を示す。図５は図２（ａ）を下面側から見た斜視図である。フレキシブルプリント基板２´は、光検出素子１の共通端子に接続される電気配線７を有し、その配線の一部が接地端子８として光学基台４に接続されている。ここで、設置端子８は、フレキシブルプリント基板２、もしくはフレキシブルプリント基板２´のいずれに設けられていてもいいが、フレキシブルプリント基板２´上に設定されているほうがより好ましい。この理由については後述する。
【００４４】
以下、電気配線７と接地端子を接続する構成の一例を示す。図６は、電気配線７と接地端子の接続部を示す図である。ここで、接地端子８として、フレキシブルプリント基板２´のカバー層の一部が除去され、配線露出部が形成されている。また、その露出部より小さい領域には、貫通孔が形成されている。このように、露出部と貫通孔が形成されたフレキシブルプリント基板２´と、光学基台を金属製ネジで接続することにより、ネジの頭部と、露出部とネジ穴の間の露出部とが接触し、その結果、フレキシブルプリント基板２´の接地端子８と光学基台４を電気的に接続することが可能となる。ここで、フレキシブルプリント基板２´の接地端子８と光学基台４の接続と、フレキシブルプリント基板２´と光学基台４との固定を、ネジにより同時に達成することで、光ピックアップの組立工程数、及び製造コストを削減することが可能である。しかしながら、フレキシブルプリント基板２´の光学基台４への固定を、ネジとは別の固定構造により行っても良い。フレキシブルプリント基板２´の光学基台４への取り付けは、後ほど詳述する。
【００４５】
次に、図７に別の一例を示す。本構成においても、接地端子８として、フレキシブルプリント基板２´のカバー層の一部が除去され、配線露出部が形成されている点は、先例と同じである。本例では配線露出部に、少なくとも一部に導体を有するカバー５を接触させることで、フレキシブルプリント基板２と接地端子を接続している。この構成によると、フレキシブルプリント基板２´の固定にネジを使用する必要が無く、部品点数や工数を削減できる。さらに、光学基台にネジ穴を加工する必要が無くなるといった効果がある。また、好ましくは、フレキシブルプリント基板２´の配線露出部とカバー５をハンダによって接続すると、ピックアップに外的要因を加えてもフレキシブルプリント基板２´の露出部とカバー５の接触が離れにくくなり、接触状態を維持しやすいといった効果がある。図７においては、カバー５の突出部を設置端子が接続されているが、カバー５はこの形状に限られず、配線露出部と接続する面積を確保できるものであればよい。
【００４６】
以上のように、フレキシブルプリント基板２´を接地端子接続に利用することにより、特に集積素子である光検出素子１で発生する熱をより効果的に伝導することが可能となる。以下、この効果について説明する。
【００４７】
従来の光ピックアップにおいては、フレキシブルプリント基板２の電気配線のうちの一部を、接地端子に接続することによって光検出素子１で発生した熱を伝導している。ここで、接地端子は他の電気部品と共用の共通端子として使用されることが一般的であり、そのためには光検出素子１から接地端子までの距離が必然的に長くなる。そうすると、光検出素子１からの放熱が効率的に行うことができないという課題を有している。
【００４８】
より効果的な放熱を行おうとすると、接地端子に接続される電気配線を太くしたり、光検出素子１の裏面等に放熱部位を設けたりする対処方法がある。また、更に放熱用に金属板を設けるなどして、その金属板と光検出素子１の放熱部位の間に放熱シリコンを配置したりする構成も考えられる。しかしながら、接地端子配線がより大きなスペースを占有することとなるか、また放熱シリコンの配置のために組み立て工数、費用がかかるといったデメリットを包含していた。
【００４９】
対して、前述したような、フレキシブルプリント基板２´に接地端子に接続する電気配線を設け、その電気配線を光検出素子１に接続することで、光検出素子１と接地端子までの距離短くすることができる。その結果、フレキシブルプリント基板２の接地端子配線を太くすることなく、光検出素子１の放熱を行うことが可能になる。また、光検出素子１の放熱を効果的に行うことができるようになった結果、放熱シリコン、及び放熱シリコンの保持のための金属部材を除去することも可能となるという、有利な効果を奏している。
【００５０】
またフレキシブルプリント基板２´がダミー基板の場合は、例え光検出素子１と接地端子までの距離が長くなったとしても、スペース上に余裕があるため、接続端子配線を太くすることができる。この結果、同様に放熱を効果的に行うことができる。
【００５１】
ここで、フレキシブルプリント基板２、２´の両方に接地端子を設け、光検出素子１を、フレキシブルプリント基板２、フレキシブルプリント基板２´のそれぞれの接地端子と接続し、放熱を行っても良い。例えば、フレキシブルプリント基板２は、従来と同じように光検出素子１から接地端子に接続される電気配線を有し、さらにフレキシブルプリント基板２´は、光検出素子１から接地端子に接続される別の電気配線を有している。この構成により、光検出素子１が２つの電気配線を介して接地端子に接続される分だけ光検出素子１の放熱量を増加させることができる。
【００５２】
また、フレキシブルプリント基板２には、光検出素子１から接地端子に接続される電気配線を設けず、フレキシブルプリント基板２´に、光検出素子１から接地端子に接続される電気配線を設けてもよい。これにより、フレキシブルプリント基板２の接地端子線を光検出素子１に接続する必要がなくなり、フレキシブルプリント基板２上の配線本数を減らすことができる。その結果、配線が複雑にならないといった効果がある。
【００５３】
ここで、フレキシブルプリント基板２´がダミー部材であって、このダミー部材に接続端子に接続するための電気配線が設けられている場合、光検出素子１から接続端子までの距離をより短くしやすいという利点がある。しかしながら、フレキシブルプリント基板２´がダミー部材でなく、接続端子に接続するための配線以外の電気配線を有するものであってもよい。例えば、フレキシブルプリント基板２とフレキシブルプリント基板２´のそれぞれに電気配線を振り分けることで、１つのプリント基板あたりの配線数を減少させ、回路の複雑化を防ぐことが可能になる。
【００５４】
なお、前述の一例では、放熱シリコン、及び放熱シリコンを保持するための金属部材が除去された構成について述べたが、これらの部材を有する光ピックアップが排除されるものではない。より効果的な放熱が必要な場合には、これらの部材を併用することで、放熱量を増加させることが可能になる。
【００５５】
本光ピックアップは、全方位に調整し、空中接着構造を実現することが可能である。また、光検出素子１の位置調整をより厳密に行うことができる。フレキシブルプリント基板２の応力のみを解消するのであれば、例えば特許文献１に記載のように、光検出素子をブラケット５０に接続することで解消できる可能性があるが、光検出素子の調整軸が１軸制限されてしまう。特に特許文献１の構成の場合は、図１５の上下方向の１軸が調整困難であり、この軸は受光面と平行な面であるから、受光面に集光したスポットを受光面の中心に合わせるような調整が困難となる。対して本ピックアップは、全方位に調整を行って光検出素子の位置をより厳密に調整できるため、光検出素子から取得される信号の劣化を防止することが可能になる。
【００５６】
以上のように、フレキシブルプリント基板２´の固定については、光学基台４に対してネジによる固定や、接着剤等の樹脂による固定、半田による固定などの種々の手段があるが、光検出素子１の調整時にフレキシブルプリント基板２´が固定されていないことが望ましい。すなわち、光検出素子１の調整および固定が完了した後に、フレキシブルプリント基板２´を固定する手順が望ましい。光検出素子１の調整時にフレキシブルプリント基板２´が固定された状態の場合に比べ、フレキシブルプリント基板２´の応力による負荷がないため、より安定した調整を実現することが出来るといった効果がある。
【００５７】
また、フレキシブルプリント基板２´の固定方法としては、前述のように放熱や信号安定性を考慮に入れてもよいが、それらを考慮せずに単にネジ止めや接着剤等の樹脂による固定を行ってもよい。ただしその場合であっても、フレキシブルプリント基板２とフレキシブルプリント基板２´の固定位置は、光検出素子１から略等しい距離の位置であることが望ましい。そのような構成とすることにより、フレキシブルプリント基板２の屈曲による応力と、フレキシブルプリント基板２´の屈曲による応力を略等しくすることができるので、光検出素子１にかかる負荷を低減する効果を大にできる。
【００５８】
前述のように、フレキシブルプリント基板２´は、フレキシブルプリント基板２の光学基台への取り付け後に、光学基台４へ取り付けられる。そのため、フレキシブルプリント基板２の光学基台４への取り付け位置によっては、フレキシブルプリント基板２のたわみ具合が変化し、すなわち屈曲部Aで発生する応力が異なる場合がある。
【００５９】
そこで、フレキシブルプリント基板２´を光学基台４へ取り付ける際には、フレキシブルプリント基板２´のたわみ具合がある程度調整可能であることが好ましい。すなわち、フレキシブルプリント基板２のたわみ具合に合わせるためには、フレキシブルプリント基板２´を光学基台４に固定する位置が、ある程度可変である構成が求められる。
【００６０】
以下、図８に、フレキシブルプリント基板２´の、光学基台４への取り付け部を示す。
【００６１】
図８（ａ）に示すように、フレキシブルプリント基板２´を光学基台４へ取り付けるためにフレキシブルプリント基板２´に設けられた穴は、フレキシブルプリント基板２´の延伸方向に沿って所定の長さを有している。また、穴の縦方向（図面の上下方向）の幅は、フレキシブルプリント基板２´と光学基台４を取り付けるためのネジの径に対応している。ここで、所定の長さとは、穴の縦方向の幅よりも大きい長さであることを意味する。このように、フレキシブルプリント基板２´に設けられた固定のための穴の長さを、所定の長さとすることで、フレキシブルプリント基板２´のたわみ具合をある程度調節することが可能となる。その結果、屈曲部Aによって発生する応力の影響を、より効果的に低減することが可能である。
【００６２】
また、図８（ｂ）に示すように、接地端子８として穴の周りにカバーを除去した露出部を設けることで、フレキシブルプリント基板２´を光学基台４に取り付ける取り付け部と、フレキシブルプリント基板２´に設けられた電気配線を接地端子８に接続するための接続部を併用することが可能である。
【００６３】
ところで、光ピックアップは、ＣＤやＤＶＤ、ＢＤといった複数ディスク対応に加えて、多層ディスクやさらなる高密度ディスクの対応が望まれている。多層ディスクやさらなる高密度ディスクの記録や再生を行う光ピックアップの光学系においては、従来の光ピックアップの光学系よりも高い光学倍率や、高い精度での光学部品の調整が必要になることが一般的である。そのため、多層ディスクやさらなる高密度ディスクに対応した光ピックアップの構成においては、光検出素子の保存安定性は従来の光ピックアップよりも高い安定性が望まれることになり、このような光ピックアップにおいても、本発明の構成による効果が有効であることは明確である。
【００６４】
（実施の形態２）
さらに、本発明の光ピックアップを用いた光情報装置の実施例を、図９に示す。図９において光情報記録再生装置としての光ディスクドライブ１０７の全体の構成例を示す。光ディスク１０１はターンテーブル１０２とクランパー１０３で挟んで固定され、モータ（回転系）１０４によって回転させられる。実施の形態１に記載した光ピックアップ１００はトラバース（移送系）１０５上に乗っており、照射する光が光ディスク１０１の内周から外周まで移動できるようにしている。制御回路１０６は光ピックアップ１００から受けた信号をもとにフォーカス制御、トラッキング制御、トラバース制御、モータの回転制御等を行う。また再生信号から情報の再生や、記録信号の光ピックアップ１００への送出を行う。
【００６５】
（実施の形態３）
実施の形態２に記した光ディスクドライブ（光情報記録再生装置）を具備した、コンピュータの実施の形態を図１０に示す。
【００６６】
図１０において、パソコン（コンピュータ）１１０は実施の形態２の光ディスクドライブ１０７と、情報の入力を行うためのキーボード１１３と、情報の表示を行うためのモニター１１２とを備える。
【００６７】
上述の実施の形態２の光ディスクドライブを外部記憶装置として具備したコンピュータは、異なる種類の光ディスクに情報を安定に記録あるいは再生でき、広い用途に使用できるという効果を有するものとなる。光ディスクドライブはその大容量性を生かして、コンピュータ内のハードディスクのバックアップをとったり、メディア（光ディスク）が安価で携帯が容易であること、他の光ディスクドライブでも情報が読み出せるという互換性があることを生かして、プログラムやデータを人と交換したり、自分用に持ち歩いたりすることができる。また、ＤＶＤやＣＤ等の既存のメディアの再生／記録にも対応できる。
【００６８】
（実施の形態４）
実施の形態２に記した光ディスクドライブ（光情報記録再生装置）を具備した、光ディスクレコーダー（映像記録再生装置）の実施の形態を図１１に示す。
【００６９】
図１１において、光ディスクレコーダー１２０は実施の形態２の光ディスクドライブ１０７（図示せず）を内蔵しており、記録している映像の表示を行うためのモニター１２１と接続されて使用される。
【００７０】
上述の実施の形態２の光ディスクドライブ１０７を具備した、光ディスクレコーダー１２０は、異なる種類の光ディスクに映像を安定に記録あるいは再生でき、広い用途に使用できるという効果を有するものとなる。光ディスクレコーダーはメディア（光ディスク）に映像を記録し、好きな時にそれを再生することができる。光ディスクではテープのように記録後や再生後に巻き戻しの作業が必要なく、ある番組を記録しながらその番組の先頭部分を再生する追っかけ再生や、ある番組を記録しながら以前に記録した番組を再生する同時記録再生が可能となる。メディアが安価で携帯が容易であること、他の光ディスクレコーダーでも情報が読み出せるという互換性があることを生かして、記録した映像を人と交換したり、自分用に持ち歩いたりすることができる。またＤＶＤやＣＤ等の既存のメディアの再生／記録にも対応する。
【００７１】
なお、ここでは光ディスクドライブだけを備える場合について述べたが、ハードディスクを内蔵していても良いし、ビデオテープの録画再生機能を内蔵していても良い。その場合映像の一時退避や、バックアップが容易にできる。
【００７２】
（実施の形態５）
実施の形態２に記した光ディスクドライブ（光情報記録再生装置）を具備した、光ディスクプレーヤー（映像再生装置）の実施の形態を図１２に示す。
【００７３】
図１２において、液晶モニター１３０を備えた光ディスクプレーヤー１３１は実施の形態３の光ディスクドライブ１０７（図示せず）を内蔵しており、光ディスクに記録された映像を液晶モニター１３０に表示することができる。上述の実施の形態２の光ディスクドライブ１０７を具備した、光ディスクプレーヤーは、異なる種類の光ディスクの映像を安定に再生でき、広い用途に使用できるという効果を有するものとなる。
【００７４】
光ディスクプレーヤーはメディア（光ディスク）に記録された映像を、好きな時に再生することができる。光ディスクではテープのように再生後に巻き戻しの作業が必要なく、ある映像の任意の場所にアクセスして再生することができる。またＤＶＤやＣＤ等の既存のメディアの再生にも対応する。
【００７５】
（実施の形態６）
実施の形態２に記した光ディスクドライブ（光情報記録再生装置）を具備した、サーバーの実施の形態を図１３に示す。
【００７６】
図１３において、サーバー１４０は実施の形態２の光ディスクドライブ１０７と、情報の表示を行うためのモニター１４２と、情報の入力を行うためのキーボード１４３とを備え、ネットワーク１４４と接続されている。
【００７７】
上述の実施の形態２の光ディスクドライブ１０７を外部記憶装置として具備した、サーバーは、異なる種類の光ディスクに情報を安定に記録あるいは再生でき、広い用途に使用できるという効果を有するものとなる。光ディスクドライブはその大容量性を生かして、ネットワーク１４４からの要求に応じ、光ディスクに記録されている情報（画像、音声、映像、ＨＴＭＬ文書、テキスト文書等）を送出する。また、ネットワークから送られてくる情報をその要求された場所に記録する。また、ＤＶＤやＣＤ等の既存のメディアに記録された情報も再生が可能であるので、それらの情報を送出することも可能となる。
【００７８】
（実施の形態７）
実施の形態２に記した光ディスクドライブ（光情報記録再生装置）を具備した、カーナビゲーションシステムの実施の形態を図１４に示す。
【００７９】
図１４において、カーナビゲーションシステム１５０は実施の形態２の光ディスクドライブ１０７（図示せず）を内蔵しており、地形や行き先情報の表示を行うための液晶モニター１５１と接続されて使用される。
【００８０】
上述の実施の形態２の光ディスクドライブ１０７を具備した、カーナビゲーションシステムは、異なる種類の光ディスクに映像を安定に記録あるいは再生でき、広い用途に使用できるという効果を有するものとなる。カーナビゲーションシステム１５０はメディア（光ディスク）に記録された地図情報と、地上位置確定システム（ＧＰＳ）や、ジャイロスコープ、速度計、走行距離計等の情報を元に、現在位置を割り出しその位置を、液晶モニター上に表示する。また行き先を入力すると、地図情報や道路情報をもとに行き先までの最適な経路を割り出し、それを液晶モニターに表示する。
【００８１】
地図情報を記録するために大容量の光ディスクを用いることで、一枚のディスクで広い地域をカバーして細かい道路情報を提供することができる。また、その道路近辺に付随する、レストランやコンビニエンスストア、ガソリンスタンドなどの情報も同時に光ディスクに格納して提供することができる。さらに、道路情報は時間がたつと古くなり、現実と合わなくなるが、光ディスクは互換性がありメディアが安価であるため、新しい道路情報を収めたディスクと交換することで最新の情報を得ることができる。またＤＶＤやＣＤ等の既存のメディアの再生／記録にも対応するため、自動車の中で映画を見たり音楽を聴いたりすることも可能である。
【００８２】
なお、本明細書では前述の、コンピュータ、光情報媒体プレーヤ、カーナビゲーションシステム、光情報媒体レコーダ、光ディスクサーバ等をまとめて、光情報装置と呼ぶ。
【産業上の利用可能性】
【００８３】
本発明は、光ピックアップにより光情報記録媒体に光を照射して情報の記録及び／または再生を行う光情報記録再生装置に関するものであり、光ディスクを利用するコンピュータからＡＶ機器まで、幅広い産業分野で利用することができ、その産業上の利用可能性は非常に広く且つ大きい。
【符号の説明】
【００８４】
1    光検出素子
２    フレキシブルプリント基板
２´    フレキシブルプリント基板
３    ホルダ
４    光学基台
５    カバー
６    接着剤
７    電気配線
８    接地端子
１０    光源素子
１１    ビームスプリッタ
１２    コリメートレンズ
１３    立上げミラー
１４    対物レンズ
１５    光ディスク
１６    検出レンズ
５０    ブラケット
１００    光ピックアップ
１０１    光ディスク
１０２    ターンテーブル
１０３    クランパー
１０４    モータ
１０５    トラバース
１０６    制御回路
１０７    光ディスクドライブ
１１０    パソコン
１１１    光ディスクドライブ
１２０    光ディスクレコーダー
１３１    光ディスクプレーヤー
１４０    サーバー
１４１    光ディスクドライブ
１４４    ネットワーク
１５０    カーナビゲーションシステム
【図１】
2010250882.tif 000003
【図２】
2010250882.tif 000004
【図３】
2010250882.tif 000005
【図４】
2010250882.tif 000006
【図５】
2010250882.tif 000007
【図６】
2010250882.tif 000008
【図７】
2010250882.tif 000009
【図８】
2010250882.tif 000010
【図９】
2010250882.tif 000011
【図１０】
2010250882.tif 000012
【図１１】
2010250882.tif 000013
【図１２】
2010250882.tif 000014
【図１３】
2010250882.tif 000015
【図１４】
2010250882.tif 000016
【図１５】
2010250882.tif 000017